(57)【要約】【課題】Ｈ型鋼のウェブ等に対する位置決め位置の設定を容易に行うことができる治具を提供すること。【解決手段】側板１２と、その側板１２に固定された背板１３とを備えている。側板１２の端面に前記第１基準面１５及び第２基準面１６を設けるとともに、前記背板の側面に前記第３基準面を設ける。第１基準面１５と、第２基準面１６とは直角をなす。第３基準面は第１基準面１５と平行をなすとともに、前記第２基準面１６と直角をなす。【選択図】図１
2017125327.tif 000002
【特許請求の範囲】
【請求項１】
第１基準面と、その第１基準面と直角をなす第２基準面と、前記第１基準面と平行をなすとともに、前記第２基準面と直角をなす第３基準面と、前記第１基準面と第２基準面との間に位置する逃げ面とを備えた治具。
【請求項２】
側板と、その側板に固定された背板とを備え、前記側板の端面に前記第１基準面及び第２基準面を設けるとともに、前記背板の側面に前記第３基準面を設けた請求項１に記載の治具。
【請求項３】
前記背板の端面に、前記第２基準面と同一面内に位置するとともに、前記第１基準面と直角をなす第４基準面を備えた請求項２に記載の治具。
【発明の詳細な説明】
【技術分野】
【０００１】
本発明は、Ｈ型鋼やＬ型鋼に目板等の他部品を位置決めすることに適する治具に関するものである。
【背景技術】
【０００２】
特許文献１には、Ｈ型鋼にガセットプレートを位置決めするための治具が開示されている。この特許文献１に開示された治具は、Ｈ型鋼のフランジにガセットプレートを支持した状態で、そのガセットプレートを前記フランジに固定するものである。
【先行技術文献】
【特許文献】
【０００３】
【特許文献１】特開平９−１１２０３９号公報
【発明の概要】
【発明が解決しようとする課題】
【０００４】
従って、特許文献１においては、Ｈ型鋼のウェブに対して他部品を位置決めすることはできない。しかも、この特許文献１においては、Ｈ型鋼のフランジを締め付けるネジや、リンク等の部品が必要になって、部品点数が多く、構成が複雑である。
【０００５】
また、治具を用いることなく、図１１に示すように、ウェブに対して罫書線１００，１０１を記して目板等の他部品の位置決め位置の設定を行うこともあるが、Ｈ型鋼５１においては、ウェブ５３の両側にフランジ５２が位置するとともに、ウェブ５３とフランジ５２との間の内コーナ６０が円弧状に湾曲している。このため、フランジ５２の内面を起点とした罫書線１００までの位置の計測が難しく、その罫書線１００を正確な位置に設けることは困難である。
【０００６】
本発明の目的は、Ｈ型鋼のウェブ等に対する位置決め位置の設定を容易に行うことができる治具を提供することにある。
【課題を解決するための手段】
【０００７】
以上の目的を達成するために、本発明においては、第１基準面と、その第１基準面と直角をなす第２基準面と、前記第１基準面と平行をなすとともに、前記第２基準面と直角をなす第３基準面と、前記第１基準面と第２基準面との間に位置する逃げ面とを備えたことを特徴とする。
【０００８】
以上の構成においては、治具の第１基準面をＨ型鋼のフランジの内側面に当てて、第２基準面においてウェブ上に載置すれば、第３基準面がウェブの所定位置においてＨ型鋼の長さ方向に沿う直立状態に配置される。従って、目板を第３基準面に沿わせれば、その目板を簡単に位置決めできる。そして、この状態で、目板をスポット溶接等によって固定でき、この段階における目板の固定が不要な場合は、第３基準面あるいは目板の側面に沿ってウェブに罫書線を入れることができる。Ｈ型鋼ではなく、Ｌ型鋼の場合は、治具の第１基準面を一方のフランジに当てるとともに、第２基準面を他方のフランジに当てれば、前記と同様に、フランジに対して、位置決めが可能になる。
【発明の効果】
【０００９】
本発明によれば、Ｈ型鋼のウェブ等に対する他部品の位置決め位置の設定を容易に行うことができるという効果がある。
【図面の簡単な説明】
【００１０】
【図１】治具の使用状態を示す斜視図。
【図２】治具の使用状態を示す側面図。
【図３】実施形態の治具を示し、（ａ）は側面図、（ｂ）は平面図。
【図４】図３の治具とは寸法の異なる例を示し、（ａ）は側面図、（ｂ）は平面図。
【図５】図４の治具とは寸法の異なる例を示し、（ａ）は側面図、（ｂ）は平面図。
【図６】図５の治具とは寸法の異なる例を示し、（ａ）は側面図、（ｂ）は平面図。
【図７】図６の治具とは寸法の異なる例を示し、（ａ）は側面図、（ｂ）は平面図。
【図８】図７の治具とは寸法の異なる例を示し、（ａ）は側面図、（ｂ）は平面図。
【図９】（ａ）は一部を実線で描いた治具の斜視図、（ｂ）は（ａ）とは異なる方向から見た斜視図。
【図１０】別の実施形態を示す側面図。
【図１１】従来の方法を示す斜視図。
【発明を実施するための形態】
【００１１】
以下、本発明を具体化した実施形態を図面に従って説明する。
図３（ａ），（ｂ）〜図９（ａ），（ｂ）には、寸法の異なる各種の治具１１が示されている。これらの治具１１は、一対の平行な側板１２と、その両側板１２の一端部間において両側板１２に対して直角をなすよう固定された背板１３と、両側板１２の先端部寄りの位置において両側板１２間に介在固定された補強材１４とにより固定されている。
【００１２】
前記両側板１２の先端面には第１基準面１５が形成されるとともに、側板１２の下面には第２基準面１６が形成され、第１基準面１５と第２基準面１６とは直角をなしている。第１基準面１５と第２基準面１６との間において、側板１２のコーナ部には直線的に切り落とされた傾斜形状の逃げ面１７が形成されている。従って、この逃げ面１７は面取り形状に形成されている。
【００１３】
背板１３の外側面（背面）には第３基準面１８が形成され、この第３基準面１８は、前記第１基準面１５と平行をなすとともに、前記第２基準面１６に対して直角をなしている。背板１３の下面には、第２基準面１６と同一面内において連続するとともに、第３基準面１８と直角をなす第４基準面１９が形成されている。
【００１４】
次に、実施形態の治具１１の使用方法を説明する。
以下の説明においては、Ｈ型鋼５１の両フランジ５２間のウェブ５３に目板５４を位置決めする場合について述べる。この目板５４は、図示しないステーを支持するためのものである。
【００１５】
図１及び図２に示すように、前記治具１１は、第２基準面１６においてＨ型鋼５１のウェブ５３上に載置され、第１基準面１５を一方のフランジ５２の内面に当接させる。この状態においては、Ｈ型鋼５１のウェブ５３とフランジ５２との間の内コーナ６０が円弧状に形成されていても、第１基準面１５と第２基準面１６との間に逃げ面１７が形成されているため、治具１１と円弧状の内コーナ６０との干渉を避けることができる。
【００１６】
この状態で、第３基準面１８に目板５４を沿わせれば、その目板５４を両フランジ５２間の所定位置に位置決めできる。従って、この状態で、目板５４をウェブ５３上に仮止めしたり、溶接固定したりすることにより、目板５４をウェブ５３上に直立状態で固定できる。
【００１７】
また、この段階で、目板５４をウェブ５３に固定しない場合には、第３基準面１８のウェブ５３側の端縁に沿って罫書線を入れることができる。
本実施形態においては、以下の効果がある。
【００１８】
（１）治具１１の第１基準面１５をＨ型鋼５１のフランジ５２の内側面に当てて、第２基準面１６においてウェブ５３上に載置すれば、第３基準面１８がウェブ５３の所定位置においてＨ型鋼５１の長さ方向に沿う直立状態に配置される。従って、目板５４を第３基準面１８に沿わせれば、目板５４を簡単に位置決めできる。そして、この状態で、目板５４をスポット溶接等によって固定できる。また、この段階において、目板５４の固定が不要な場合は、第３基準面１８の縁部あるいは第２基準面１６に沿う目板５４の下端の縁部に沿ってウェブ５３に罫書線を入れればよい。
【００１９】
（２）治具１１の第１〜第３基準面１５，１６，１８の位置関係があらかじめ決まっているため、目板５４の設置位置や罫書線等の位置決め位置を正確に設定できる。
（３）実施形態の治具１１は、特許文献１の構成とは異なり、ボルトやレバー等が不要であるため、部品点数が少なく、構成が簡単である。
【００２０】
（４）逃げ面１７が直線状をなして、面取りされているため、製造が容易である。
本発明は前記実施形態に限定されるものではなく、以下のような態様で具体化してもよい。
【００２１】
・背板１３の下端面を両側板１２の下端面より高い位置に設定することにより、第４基準面１９を省略すること。
・各基準面１５，１６，１８，１９を複数の突部の先端によって構成すること。
【００２２】
・補強材１４を省略すること。
・治具１１全体を１枚の板を折り曲げることによって構成すること。
・側板１２を１枚にすること。このようにすれば、治具１１は平面Ｌ形状になる。
【００２３】
・逃げ面１７の形状を変更すること。例えば、図３（ａ）に２点鎖線で示すように、膨らんだ円弧状や、図３（ｂ）に２点鎖線で示すように、凹んだ円弧状にすること。
・図１０に示すように、Ｌ型鋼６１の一方のフランジ６２に目板５４を位置決めする場合に前記実施形態の治具１１を用いること。この場合、治具１１の第２基準面１６がＬ型鋼６１の一方のフランジ６２に載置され、第１基準面１５が他方のフランジ６２に当接される。
【００２４】
前記実施形態から把握される技術的思想は以下の通りである。
（Ａ）側板のコーナを面取りすることにより逃げ面を形成した請求項１〜３のうちのいずれか一項に記載の治具。
【００２５】
（Ｂ）側板を一対備えた請求項１〜３のうちのいずれか一項に記載の治具。
（Ｃ）請求項１〜３のうちのいずれか一項に記載の治具を用いる位置決め方法において、第２基準面をＨ型鋼のウェブに当てるとともに、第１基準面を同Ｈ型鋼のフランジに当てて、第３基準面の位置を設定する位置決め方法。
【符号の説明】
【００２６】
１１…治具、１２…側板、１３…背板、１４…補強材、１５…第１基準面、１６…第２基準面、１７…逃げ面、１８…第３基準面、１９…第４基準面。
【図１】
2017125327.tif 000003
【図２】
2017125327.tif 000004
【図３】
2017125327.tif 000005
【図４】
2017125327.tif 000006
【図５】
2017125327.tif 000007
【図６】
2017125327.tif 000008
【図７】
2017125327.tif 000009
【図８】
2017125327.tif 000010
【図９】
2017125327.tif 000011
【図１０】
2017125327.tif 000012
【図１１】
2017125327.tif 000013